(57)【要約】【課題】  入賞口の周辺にある釘調整が不要であり、かつ容易に特別遊技状態での変動入賞装置への入賞球の差を軽減することができ、かつ当該入賞球の差の調整を容易に行う。【解決手段】  パチンコ球Ｐの発射数が１００発／１分間に制限されていることから、比較的高い入賞率（例えば、大入賞口４４が開放している３０秒間に１５個のパチンコ球Ｐが入賞するように調整する）での調整は容易である。そこで、この容易な調整を標準的な釘調整として設定し、大入賞口４４の内部を本入賞ゾーン１１０と非入賞ゾーン１１２とに分割することで、仮に大入賞口４４に入賞したパチンコ球Ｐの一部を入賞から除外（遊技盤３２へ戻す）する。本入賞ゾーン１１０の開口幅Ａと非入賞ゾーン１１２の開口幅Ｂの比率をＡ：Ｂ≒２：１としたため、前記標準的な釘調整により３０秒間に１５個のパチンコ球Ｐが大入賞口４４に入賞しても、実入賞は１０個となる。これにより、大入賞口４４が開放される３０秒間を使い切ることができ、ＴＹ値を安定させることができる。【選択図】      図５
2005185716.tif 000002
【特許請求の範囲】
【請求項１】
通常遊技状態で始動口に遊技球が入賞することで抽選が実行され、当該抽選の結果が当たりの場合に、前記通常遊技状態では閉止状態とされている変動入賞装置を所定の制限時間をもって開放することで、前記遊技球の入賞率を高め、遊技者に有利な特別遊技状態とすることが可能な遊技機であって、
前記変動入賞装置の開口部が、第１の開口率の本入賞ゾーンと、第２の開口率の非入賞ゾーンとに分割され、
統計的に前記制限時間内での入賞数が所定数以下となるように、前記第１の開口率と第２の開口率との比率が設定されていることを特徴とする遊技機。
【請求項２】
通常遊技状態で始動口に遊技球が入賞することで抽選が実行され、当該抽選の結果が当たりの場合に、前記通常遊技状態では閉止状態とされている変動入賞装置を所定の制限時間をもって開放することで、前記遊技球の入賞率を高め、遊技者に有利な特別遊技状態とすることが可能な遊技機であって、
前記変動入賞装置の開口部が、常時開放状態の本入賞ゾーンと、開閉可能な蓋体が設けられた非入賞ゾーンとに分割され、
前記蓋体の開放時間と本入賞ゾーンへの入賞数データに基づいて、前記制限時間内での入賞数が所定数以下となるように、前記変動入賞装置の開放時における、蓋体の開放時間を設定することを特徴とする遊技機。
【発明の詳細な説明】
【技術分野】
【０００１】
本発明は、通常遊技状態で始動口に遊技球が入賞することで抽選が実行され、当該抽選の結果が当たりの場合に、前記通常遊技状態では閉止状態とされている変動入賞装置を所定の制限時間をもって開放することで、前記遊技球の入賞率を高め、遊技者に有利な特別遊技状態とすることが可能な遊技機に関するものである。
【背景技術】
【０００２】
従来より、遊技機、特にパチンコ機において、通常遊技状態において、始動口（特別図柄始動入賞口）に入賞したパチンコ球を検出することで抽選がなされ、この抽選の結果、当たりとなると、前記通常遊技状態では閉止状態とされている大入賞口が所定期間、所定回数開放され（１回の開閉を１ラウンドとし、一般に１０〜１６ラウンド継続する。）、遊技球の入賞率を高める、遊技者に有利な状態とする特別遊技状態（以下、大当り処理という）を持つパチンコ機がある。
【０００３】
ところで、パチンコ機は営業形態に応じて複数種類の中から選択し、メーカーからの出荷前に遊技場の設置環境に合わせて様々な調整（例えば、釘調整等）がなされた後、遊技場に搬入され、設置される。
【０００４】
前記大入賞口の周辺には多くの釘が植設されており、大当たり時の差球（大入賞口への入賞球の差）はこれらの釘調整によって増減される。
【０００５】
すなわち、単位時間当たりの発射球数は、通常１００発／１分間であり、その内の所定割合で大入賞口や、他の入賞口に入賞し、その他は非入賞球としてアウト口から回収されるようになっている。
【０００６】
また、大当たり処理時は、遊技者が大入賞口に狙いを定めて発射するため、大入賞口の周辺、特に直上位置の釘調整が重要となる。
【０００７】
大入賞口を狙って打ち出されたパチンコ球は、大入賞口に入賞するパチンコ球と、大入賞口からそれるパチンコ球とに分類され、大入賞口は、アウト口の直上に配置されている機種が主流であるため、前記それたパチンコ球はほとんどアウト口から回収される。
【０００８】
ここで、パチンコ機では、１回の大当たり処理時に大入賞口に入賞可能な球数に上限値が設定されている。また、これと共に、大入賞口の開放時間の上限値も設定されている。
【０００９】
上記入賞球数の上限値、或いは開放時間の上限値の何れか一方が先に満足されると、その大当たり処理（１ラウンド）の権利は消滅し、当該大当たり処理中に特定の条件（Ｖゾーンへの入賞）が満足された場合には、次のラウンドへ移行することが約束される。
【００１０】
このため、遊技者が大当たり処理中にパチンコ球を発射させ続けている場合、大入賞口に入賞しにくい釘調整であるほど、大入賞口が開放される時間が長くなり、大当たり処理の時間も長くなる。
【００１１】
一方、大当たり処理中に大入賞口に入賞可能なパチンコ球の上限値と、大入賞口の開放時間の上限値が定められているため、入賞するパチンコ球に対する賞球払出数と、入賞数との積により、１回当たりの大当たり処理で払い出されるパチンコ球数が導き出され、前記アウト口から回収されるパチンコ球数との差によって、大当たり処理中の差球（ＴＹ値）を得ることができる。このＴＹ値については、特許文献１に記載されている。
【特許文献１】特開２００２−１７７５５８公報
【発明の開示】
【発明が解決しようとする課題】
【００１２】
しかしながら、大入賞口の周辺、特に大入賞口の開口部の直上にあっては、営業上の理由から大当たり処理時のＴＹ値を安定させる必要がある反面、設置環境や、営業形態（例えば、開店直後の宣伝期間、通常営業等）によってＴＹ値を変更する必要がある。
【００１３】
この場合、従来は、釘調整によってなされているが、釘調整は極めて高度な技術であるため、熟練を要し、容易にＴＹ値の調整をすることは困難である。
【００１４】
本発明は上記事実を考慮し、大入賞口の周辺にある釘調整が不要であり、かつ容易に特別遊技状態での変動入賞装置への入賞球の差を軽減することができ、かつ当該入賞球の差の調整を容易に行うことができる遊技機を得ることが目的である。
【課題を解決するための手段】
【００１５】
請求項１に記載の発明は、通常遊技状態で始動口に遊技球が入賞することで抽選が実行され、当該抽選の結果が当たりの場合に、前記通常遊技状態では閉止状態とされている変動入賞装置を所定の制限時間をもって開放することで、前記遊技球の入賞率を高め、遊技者に有利な特別遊技状態とすることが可能な遊技機であって、前記変動入賞装置の開口部が、第１の開口率の本入賞ゾーンと、第２の開口率の非入賞ゾーンとに分割され、統計的に前記制限時間内での入賞数が所定数以下となるように、前記第１の開口率と第２の開口率との比率が設定されていることを特徴としている。
【００１６】
請求項１記載の発明によれば、特別遊技状態では、変動入賞装置が開放することで、入賞率が高まる。この変動入賞装置は、所定の制限時間を持って開放するため、例えば、入賞数に制限がある場合、遊技状態によって当該制限入賞数となるまでの時間が異なる。
【００１７】
そこで、変動入賞装置の開口部を、第１の開口率の本入賞ゾーンと、第２の開口率の非入賞ゾーンとに分割する。それぞれの開口率（第１の開口率及び第２の開口率）は、統計的に前記制限時間内での入賞数が所定数以下となるように比率が設定されているため、例えば、遊技盤面上の釘の調整度合いで変動入賞装置への入賞率を変更しなくても、前記比率によって入賞数を調整することができる。すなわち、従来、熟練を要していた釘調整等の専門的技術がなくても、変動入賞装置に入る遊技球を分別することで、実入賞球数の調整が可能となるため、出荷時或いは設置時の調整期間を大幅に省くことができ、作業性の向上を図ることができる。
【００１８】
請求項２に記載の発明は、通常遊技状態で始動口に遊技球が入賞することで抽選が実行され、当該抽選の結果が当たりの場合に、前記通常遊技状態では閉止状態とされている変動入賞装置を所定の制限時間をもって開放することで、前記遊技球の入賞率を高め、遊技者に有利な特別遊技状態とすることが可能な遊技機であって、前記変動入賞装置の開口部が、常時開放状態の本入賞ゾーンと、開閉可能な蓋体が設けられた非入賞ゾーンとに分割され、前記蓋体の開放時間と本入賞ゾーンへの入賞数データに基づいて、前記制限時間内での入賞数が所定数以下となるように、前記変動入賞装置の開放時における、蓋体の開放時間を設定することを特徴としている。
【００１９】
請求項２に記載の発明によれば、特別遊技状態では、変動入賞装置が開放することで、入賞率が高まる。この変動入賞装置は、所定の制限時間を持って開放するため、例えば、入賞数に制限がある場合、遊技状態によって当該制限入賞数となるまでの時間が異なる。
【００２０】
そこで、変動入賞装置の開口部を、第１の開口率の本入賞ゾーンと、第２の開口率の非入賞ゾーンとに分割する。非入賞ゾーンには蓋体が設けられており、この蓋体の開口時間によって、大入賞ゾーンと非入賞ゾーンとの入賞比率を変更することができる。
【００２１】
蓋体の開放時間は、蓋体の開放時間と本入賞ゾーンへの入賞数データに基づいて設定する。すなわち、上記データに基づいて、前記制限時間内での入賞数が所定数以下となるように、前記変動入賞装置の開放時における、蓋体の開放時間を設定することで、例えば、遊技盤面上の釘の調整度合いで変動入賞装置への入賞率を変更しなくても、実入賞率が安定する。
【００２２】
すなわち、従来、熟練を要していた釘調整等の専門的技術がなくても、変動入賞装置に入る遊技球を分別することで、実入賞球数の調整が可能となるため、出荷時或いは設置時の調整期間を大幅に省くことができ、作業性の向上を図ることができる。
【発明の効果】
【００２３】
以上説明した如く本発明では、大入賞口の周辺にある釘調整が不要であり、かつ容易に特別遊技状態での変動入賞装置への入賞球の差を軽減することができ、かつ当該入賞球の差の調整を容易に行うことができるという優れた効果を有する。
【発明を実施するための最良の形態】
【００２４】
図１には、第１の実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２５】
内枠１４には、複数の表示灯６２やスピーカ６４が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２６】
ガラス枠２０の下方位置には、球皿部２４を備えた一体皿２６が配設されている。この一体皿の球皿部２４には、貯球タンク（図示省略）と連通し、この貯球タンク内のパチンコ球Ｐ（図２参照）を球皿部２４へ流出させる連通口２３が設けられている。
【００２７】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２８】
また内枠１４の窓部には、遊技盤載置台に載せて交換可能とされた遊技盤３２が窓部に対応して設置されている。
【００２９】
図２に示される如く、遊技盤３２は、外バンド３６及び内バンド３８によって囲まれた略円形状の遊技領域４０が形成されている。
【００３０】
遊技領域４０には、図示しない釘や風車の他、センター役物４２、当該センター役物４２に設けられた表示部４３、並びに大入賞口（変動入賞装置）４４等の役物、始動口４６や通過装置４８、入賞装置４９等の遊技部品が取り付けられており、最下位置にアウト口５４が配置されている。なお、センター役物４２にの上端部には、普通図柄表示装置４２Ａが設けられている。
【００３１】
通過装置４８は、前記普通図柄表示装置４２Ａの始動トリガとなっており、通過装置４８をパチンコ球Ｐが通過すると普通図柄抽選が実行され、当たりの場合、普通図柄表示装置４２Ａの表示が当りを表示し、電動チューリップ４７が開放し、始動口４６への入賞の確率が物理的に高まるようになっている。
【００３２】
図３には、パチンコ機１０を制御するための制御系の概略が示されている。制御系は、主制御部１５０を中心として構成されている。主制御部１５０には、遊技に関する基本的なプログラムが記憶されており、この主制御部１５０からの命令信号に基づいて、各部の動作が制御されるようになっている。
【００３３】
この主制御部１５０には、始動口４６に設けられた始動入賞センサ１６８、通過装置４８や入賞装置４９に設けられた通過／入賞センサ１７２並びに大入賞口４４に入賞したパチンコ球Ｐを検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御部１５０に接続されている。
【００３４】
さらに、主制御部１５０には、始動入賞口４６に設けられた電動チューリップ４７（図２参照）を開閉させるためのソレノイド１７４、大入賞口４４を開閉させるためのソレノイド１７５が接続されている。
【００３５】
また、主制御部１５０からは盤用外部端子２００を介してホールコンピュータへ遊技の進行状態を示す情報が出力されるようになっている。
【００３６】
一方、この主制御部１５０には、演出制御部１５２と、払出制御部１５４とが接続されている。
【００３７】
演出制御部１５２には、図柄・音声制御部１５６を介してスピーカ６４、センター役物４２の表示部（ＬＣＤ）４３、並びに普通図柄表示装置４２Ａが接続されている。また、演出制御部１５２は、パチンコ機１０のガラス枠２０に取り付けられた複数の表示灯６２の点灯・消灯を制御する。なお、表示部４３は、図柄変動パターン演出画像を表示する。
【００３８】
また、表示部４３の上部には、保留ランプ１００が設けられており、第１の実施の形態では、最大４個の保留が可能であるため、この数に対応した４個の保留ランプ１００が設けられている。
【００３９】
保留とは、前記表示部４３において、図柄変動パターン演出を実行中に新たに始動口４６に入賞した場合に、この入賞により実行された抽選の結果の報知を待機することを言う。なお、大当たり処理中に始動口４６に入賞した場合も、表示部４３が大当たり処理演出の動画パターンを再生しているため、保留の対象となる。但し、保留する数には限度があり（第１の実施の形態では４個）、これ以上の始動口４６への入賞は抽選の対象とはならない。
【００４０】
ここで、前記抽選の結果が当たりとなり、当該当選を表示部４３における図柄変動パターン演出によって報知し終えると、特別遊技状態である大当たり処理が実行される。この大当たり処理は、前記大入賞口４４が所定回数（ラウンド）開放するものである。１ラウンドの開放時間は役３０秒とされ、この間に最大１０個のパチンコ球Ｐが入賞可能となる。すなわち、時間制限である３０秒、或いは数制限である１０個の何れか一方が先に満足されると、そのラウンドの権利は消滅し、当該大当たり処理中に大入賞口４４内のＶゾーンへの入賞があった場合に、次のラウンドへ移行することが約束される。
【００４１】
このため、特別遊技状態では、通常遊技状態よりも短期間で多くの入賞が期待され、遊技者にとって有利な遊技状態とすることができる。
【００４２】
ところで、大入賞口４４の開放中、そのほとんどの機会において、パチンコ球Ｐが１０個入賞する方が先に満足する。すなわち、３０秒以内で大入賞口４４は一旦閉止する。
【００４３】
この実開放時間は、従来、大入賞口４４の直上にある釘の調整度合いによってほぼ定まっており、時間が短ければ短いほど発射されるパチンコ球数が少ないため、熟練の技術を要する釘調整は、大当たり処理中の発射球数と賞球払出数との差であるＴＹ値に多大な影響を及ぼす。
【００４４】
ここで、第１の実施の形態では、上記釘調整によらず、前記ＴＹ値の安定化、並びに調整の容易性を持たせるべく、大入賞口４４の内部の構造でＴＹ値の調整を可能とした。
【００４５】
図２及び図４に示される如く、大入賞口４４は、変動入賞ユニット１０２の一部として構成されている。
【００４６】
変動入賞ユニット１０２は、合成樹脂製部品を主体とした複数の部品からなるアッセンブリであり、周縁には薄肉のフランジ１０２Ａが形成されている。
【００４７】
遊技盤３２には、前記変動入賞ユニット１０２に対応して貫通孔（図示省略）が設けられており、この貫通孔に変動入賞ユニット１０２が収容されると共に、前記フランジ１０２Ａの裏面側が遊技盤３２に突き当てられることで、変動入賞ユニット１０２は遊技盤３２への取付状態となる。
【００４８】
変動入賞ユニット１０２には、前記取付状態で遊技盤３２面とほぼ面一となる位置に横長矩形状の前記大入賞口４４が形成されている。この大入賞口４４には、開閉蓋１０４が別部材として取り付けられている。
【００４９】
図４に示される如く、開閉蓋１０４は、前記大入賞口４４を閉塞する主面部１０４Ａと、この主面部１０４Ａの左右端にそれぞれ互いに平行に一体形成された側面部１０４Ｂと、で構成され、全体的に略コ字型とされている。
【００５０】
一対の側面部１０４Ｂは、全周の１／５〜１／４程度（７２°〜９０°程度）の扇型とされ、それぞれその扇の要である頂点の近傍に同軸的に軸１０６が取り付けられている。
【００５１】
前記開閉蓋１０４は、この軸１０６を中心に前記扇の角度の範囲内で回転可能となっている。
【００５２】
また、開閉蓋１０４は、側面部１０４Ｂが前記回転可能範囲の一端の位置のとき、側面部１０４Ｂは前記大入賞口４４内に収容され、かつ、主面部１０４Ａが当該大入賞口４４を閉塞する（図４（Ａ）の閉塞状態）。
【００５３】
一方、前記側面部１０４Ｂが前記回転可能範囲の他端の位置のとき、側面部１０４Ｂは、前記大入賞口４４から突出し、主面部１０４Ａが大入賞口４４の前方で傾斜状態となり、大入賞口４４が開放される（図４（Ｂ）の開放状態）。
【００５４】
また、この開放状態では、開閉蓋１０４の主面部１０４Ａの裏面が、パチンコ球Ｐを遊技盤３２面から大入賞口４４内へ案内する案内ガイドとしての役目を持つ。
【００５５】
図５には、大入賞口４４の内部構造が示されている。
【００５６】
大入賞口４４は、その開口が中間壁部１０８によって２分割されており、全開口幅の約２／３が本入賞ゾーン１１０とされ、全開口幅の約１／３が非入賞ゾーン（アウトゾーン）１１２となっている。
【００５７】
前記本入賞ゾーン１１０の底部には、シーソ型の案内部材１１４が設けられている。案内部材１１４は、長手方向（横方向）中央部に回転軸１１６が設けられ、図示しない駆動手段の駆動力で図５の右肩上がり（図５の実線状態）の第１の傾斜位置と、図５の右肩下がり（図５の鎖線状態）の第２の傾斜位置と、に選択的に回転移動することができるようになっている。
【００５８】
この案内部材１１４は、前述した大当たり処理中の次ラウンドへの条件であるＶゾーンへ入賞を導く役目を有しており、ラウンド開始直後は、第２の傾斜位置とされる。これにより、本入賞ゾーン１１０に入賞したパチンコ球Ｐは、この案内部材１１４に案内され、Ｖゾーンへの送り出されることになる。Ｖゾーンへ送り出されたパチンコ球Ｐは、図示しないセンサによって検出され、この検出をトリガとして、案内部材１１４は、第１の傾斜位置へ回転移動する。これにより、その後に本入賞ゾーン１１０へ入賞したパチンコ球Ｐは、テンカウントゾーンへ送り出され、図示しないテンカウントセンサによってカウントされる。なお、前記Ｖゾーンへの入賞も１カウントとなる。
【００５９】
一方、非入賞ゾーン１１２は、所謂ワープ入り口となっており、遊技盤３２に戻されるようになっている。構造上、大入賞口４４がアウト口５４の直上にあることから（図２参照）、遊技盤３２に戻されるパチンコ球Ｐのほとんどはアウト口５４から回収されることになる。
【００６０】
ここで、前述のように大入賞口４４の開口幅は、本入賞ゾーン１１０の開口幅Ａと、非入賞ゾーン１１２の開口幅Ｂとに分割されており、このため、理論的には、本入賞ゾーン１１０への入賞率は、Ａ／（Ａ＋Ｂ）となる。
【００６１】
それぞれの開口幅（Ａ及びＢ）の設定は、メーカーからの出荷時、或いは遊技施設への設置時に、標準的に釘調整された場合において、発射されるパチンコ球Ｐ（１００発／１分間）がほぼ３０秒で１０個の入賞となることを基準としている。
【００６２】
第１の実施の形態では、Ａ：Ｂ≒２：１であるが、これは、３０秒で大入賞口４４に入賞するパチンコ球数が約１５個であることから設定されている。すなわち、３０秒間に１５個のパチンコ球Ｐが大入賞口４４に入賞しても、その１／３は非入賞ゾーン１１２へ案内されるため、結果として入賞するのは１０個となる。
【００６３】
このように第１の実施の形態では、大入賞口４４の直上の釘の調整によって、ＴＹ値を調整するのではなく、釘調整は標準的な状態としておき、この標準的な状態の下でほぼ決まっている大入賞口４４への入賞率から、固定的に開口幅（本入賞ゾーン１１０の開口幅Ａと非入賞ゾーン１１２の開口幅Ｂ）の比率で大入賞口４４を構成することで、個々のパチンコ機１０の微妙な釘調整が不要となる。
【００６４】
以下に第１の実施の形態の作用を説明する。
【００６５】
まず、通常遊技の流れを説明する。
【００６６】
遊技者がハンドル３０を把持し、発射のための操作を行なうと、このハンドル操作量（回転量）に応じた強度で、パチンコ球Ｐが打ち出される。
【００６７】
パチンコ球Ｐが打ち出されると、外バンド３６及び内バンド３８に案内されて盤面３２の釘や風車等に当接しながら、予測し得ない移動をしながら落下していく。ここで、始動口４６にパチンコ球Ｐが入賞すると、乱数カウンタを用いて所定の確率下で抽選が開始される。この抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００６８】
抽選の結果が当りの場合は、大当たり処理の実行が開始され、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００６９】
ここで、第１の実施の形態の大入賞口４４は、本入賞ゾーン１１０と非入賞ゾーン１１２とに分割されており、大入賞口４４に入賞したパチンコ球Ｐの全てが賞球払出の対象とならない。すなわち、非入賞ゾーン１１２への入賞は、再度遊技盤３２へ戻され、結果としてアウト口５４へ回収される。
【００７０】
なお、第１の実施の形態では、大入賞口４４に流入したパチンコ球Ｐが非入賞ゾーン１１２に誘導された場合、そのままアウト口５４に回収される構造を説明したが、非入賞ゾーン１１２に図９に示す誘導路１１２Ａを設ける構造としてもよい。
【００７１】
この誘導路１１２Ａは、上流側端部の開口が非入賞ゾーン１１２に連通する一方、下流端部の開口がアウト口５４の流入開口直上に配置されている。
【００７２】
この構成により、一旦、大入賞口４４に流入したパチンコ球Ｐが非入賞ゾーン１１２に誘導されると、再度，遊技盤３２面に戻された後、アウト口５４を通って回収されるので、遊技しゃは回収されるパチンコ球Ｐを目視で認識でき、獲得される賞品球数が容易に予測される。
【００７３】
ここで、従来、大入賞口４４への入賞率は、当該大入賞口４４の直上にある釘の僅かな調整度合いによって、大きく変動する。すなわち、ＴＹ値を安定させるためには、熟練した技術を有する技術者が釘調整を行わなければならなかった。
【００７４】
一方、メーカーからの出荷時、或いは遊技施設への設置時には、標準的な釘調整が行われるようになっているが、この釘調整は、熟練した技術者の調整に比べて、比較的ラフな調整であるが、パチンコ球Ｐの発射数が１００発／１分間に制限されていることから、比較的高い入賞率（例えば、大入賞口４４が開放している３０秒間に１５個のパチンコ球Ｐが入賞するように調整する）での調整は容易である。
【００７５】
そこで、この容易な調整を標準的な釘調整として設定し、大入賞口４４の内部を本入賞ゾーン１１０と非入賞ゾーン１１２とに分割することで、仮に大入賞口４４に入賞したパチンコ球Ｐの一部を入賞から除外（遊技盤３２へ戻す）する。
【００７６】
第１の実施の形態では、本入賞ゾーン１１０の開口幅Ａと非入賞ゾーン１１２の開口幅Ｂの比率をＡ：Ｂ≒２：１としたため、前記標準的な釘調整により３０秒間に１５個のパチンコ球Ｐが大入賞口４４に入賞しても、実入賞は１０個となる。
【００７７】
これにより、大入賞口４４が開放される３０秒間を使い切ることができ、ＴＹ値を安定させることができる。
【００７８】
（第２の実施の形態）
以下に本発明の第２の実施の形態について説明する。この第２の実施の形態において、前記第１の実施の形態と同一構成部分については、同一の符号を付して、その構成の説明を省略する。
【００７９】
第２の実施の形態の特徴は、第１の実施の形態が固定的に本入賞ゾーン１１０と非入賞ゾーン１１２を標準的な釘調整に基づいて設定したのに対し、ＴＹ値の調整（すなわち、大入賞ゾーン１１０への入賞率の調整可能とした点にある。
【００８０】
図６に示される如く、第２の実施の形態における大入賞口４４は、本入賞ゾーン１１０と非入賞ゾーン１１２とに分割されており、その開口幅は、ほぼ１：１となっている。
【００８１】
ここで、非入賞ゾーン１１２の開口部には、蓋体１１８が設けられている。蓋体１１８は、図７に示される如く、実質的に前記非入賞ゾーン１１２を閉塞する閉塞板１１８Ａと、この閉塞板１１８Ａと一体形成され、遊技盤３２の裏面側に位置する可動部１１８Ｂと、で構成されており、可動部１１８Ｂは、ガイド部材１２０によってガイドされ、閉塞板１１８Ａを閉塞位置及び待避位置に移動可能となっている。
【００８２】
可動部材１１８Ｂには、連結プレート１２２の一端が取り付けられ、連結プレート１２２の他端には、ソレノイド１２４のプランジャー１２４Ａが取り付けられている。
【００８３】
これにより、ソレノイド１２４への通電、非通電によってプランジャ１２４Ａが引き込み／伸び出し動作することで、閉塞板１１８Ａを閉塞位置（引き込み）と待避位置（伸び出し）へ移動させることができる。
【００８４】
蓋体１１８による非入賞口１１２の開放時間は、図８に示されるような、パチンコ機１０毎のデータをとることで設定される。第２の実施の形態では、「○」、「×」、「△」、「□」の４回のデータをとり、その近似値を曲線で示した。
【００８５】
すなわち、開放時間が０の場合は、大入賞口４４に入賞したパチンコ球Ｐの全てが本入賞ゾーン１１０へ案内され、開放時間が長くなればなるほど、本入賞ゾーン１１０への入賞数が減っていく。
【００８６】
この図８に示されるような特性に基づいて、大入賞口４４の開放時間である３０秒で、何個のパチンコ球Ｐを入賞（賞球払出対象）させるかを決め、その数に対応する開放時間を設定する。
【００８７】
制御手順としては、大当たり処理が開始され、各ラウンドの開始時には、蓋体１１８の閉塞板１１８Ａを待避位置としておき、設定した時間が経過した時点で、ソレノイド１２４を作動させて、閉塞位置へ移動させればよい。
【００８８】
このように、非入賞ゾーン１１２へ蓋体１１８を設け、開閉可能な駆動機構を設けることで、固定的なＴＹ値のみならず、所望ＴＹ値を設定することができ、繊細な釘調整をすることなく、設計の自由度を増加することができる。
【００８９】
なお、第１の実施の形態及び第２の実施の形態では、大入賞口４４をアウト口５４の直上に設けたため、非入賞ゾーン１１２に入賞したパチンコ球Ｐのほとんどは、アウト口５４から回収されることになるが、大入賞口４４（変動入賞ユニット１０２）を遊技盤３２の上方へ配置するようにすれば、非入賞ゾーン１１２への入賞によって遊技盤３２に戻されるパチンコ球Ｐの再度の始動口４６への入賞等の期待を持たせることができる。
【図面の簡単な説明】
【００９０】
【図１】第１の実施の形態に係るパチンコ機の正面図である。
【図２】第１の実施の形態に係る遊技盤の正面図である。
【図３】第１の実施の形態に係るパチンコ機の制御系の概略を示すブロック図である。
【図４】第１の実施の形態に係る大入賞口の拡大斜視図であり、（Ａ）は閉止状態、（Ｂ）は開放状態を示す。
【図５】第１の実施の形態に係る大入賞口の内部構造図である。
【図６】第２の実施の形態に係る大入賞口の内部構造図である。
【図７】第２の実施の形態に係る大入賞口の側面（一部断面）図である。
【図８】第２の実施の形態に係る蓋体開放時間−入賞数特性図である。
【図９】図５に示した大入賞口の内部構造の変形例を示す断面図である。
【符号の説明】
【００９１】
Ｐ    パチンコ球
１０    パチンコ機（遊技機）
３２    遊技盤
４４    大入賞口（変動入賞装置）
４６    始動口
５４    アウト口
１０２    変動入賞ユニット
１０２Ａ    フランジ
１０４    開閉蓋
１０４Ａ    主面部
１０４Ｂ    側面部
１０６    軸
１０８    中間壁部
１１０    本入賞ゾーン
１１２    非入賞ゾーン
１１４    案内部材
１１８    蓋体
１１８Ａ    閉塞板
１１８Ｂ    可動部
１２２    連結プレート
１２４    ソレノイド
１２４Ａ    プランジャー
１５０    主制御部
１５２    演出制御部
【図１】
2005185716.tif 000003
【図２】
2005185716.tif 000004
【図３】
2005185716.tif 000005
【図４】
2005185716.tif 000006
【図５】
2005185716.tif 000007
【図６】
2005185716.tif 000008
【図７】
2005185716.tif 000009
【図８】
2005185716.tif 000010
【図９】
2005185716.tif 000011